(57)【要約】【課題】本発明は保温シャツを開示した。【解決手段】外層を含み、前記外層の外側面には左右対称の固定ボタンが固定的に設置され、前記外層の前側端面には七組のボタンが固定的に設置され、前記ボタンの左側の前記外層にはボタン穴が設置され、前記外層の前側端面にはプラスチックブロックが固定的に設置され、前記プラスチックブロックの中には前記発熱膜に電気エネルギーを提供できる電気機構が設置され、前記内層の左右両端にはいずれも袖が固定的に設置され、前記袖には弾性ひもが固定的に設置され、前記弾性ひもが袖口を引き締めることができ、放熱を防止し、前記袖には開口が設置され、前記袖を捲り上げることができ、また前記開口を通して前記袖を前記固定ボタンで留めることができる。【選択図】図１
2020153047.tif 000002
【特許請求の範囲】
【請求項１】
外層を含み、前記外層の外側面には左右対称の固定ボタンが固定的に設置され、前記外層の中には内層が固定的に設置され、前記内層と前記外層との間には隙間が設置され、前記隙間の後壁にはナイロンボタンが固定的に設置され、前記ナイロンボタンには発熱膜が貼り付くことができるように装着され、前記発熱膜が発熱でき、保温の作用を果たし、前記発熱膜を折り目に沿って折りたたむことができ、前記発熱膜を使用しない時に収納することができ、前記発熱膜の底端には導線が電気的に接続され、前記外層の前側端面にはプラスチックブロックが固定的に設置され、前記プラスチックブロックの中には前記発熱膜に電気エネルギーを提供できる電気機構が設置され、前記内層の左右両端にはいずれも袖が固定的に設置され、前記袖には弾性ひもが固定的に設置され、前記弾性ひもが袖口を引き締めることができ、放熱を防止し、前記弾性ひもの底部の前記袖には開口が設置され、前記袖を捲り上げることができ、また前記開口を通して前記袖を前記固定ボタンで留めることができることを特徴とする保温シャツ。
【請求項２】
前記電気機構は前記プラスチックブロックの中に設置される電池チャンバを含み、前記電池チャンバの中には電池が装着され、前記電池チャンバの前側にはスライド蓋がスライドできるように設置され、前記スライド蓋の上下両端にはいずれも引っ掛かり溝が設置され、前記電池チャンバの上下両側端壁の中にはいずれも第一スライド溝が設置され、前記第一スライド溝の中には前記引っ掛かり溝と相対して設置される第一引っ掛かりブロックがスライドできるように設置され、前記第一引っ掛かりブロックと前記第一スライド溝との間には第一ばねが装着され、前記第一スライド溝の右側の前記プラスチックブロックの中には第二スライド溝が設置され、前記第二スライド溝の中には第二引っ掛かりブロックがスライドできるように設置され、前記第二引っ掛かりブロックと前記電池との間には第二ばねが装着され、前記電池チャンバの右側端壁の中には小空きチャンバが設置され、前記小空きチャンバの中には二組のギヤが回転できるように設置され、二組の前記ギヤが噛み合って設置され、前記ギヤの前側端面には第一リールが固定的に設置され、頂部に位置する前記第一リールの前側が前記プラスチックブロックから張り出し、且つ頂部に位置する前記第一リールの前側の末端には回転輪が固定的に設置され、前記小空きチャンバの上下両側には矩形チャンバが対称的に設置され、前記矩形チャンバの中には二組の第二リールが回転できるように設置され、前記第一リールには引き線が固定的に設置され、前記引き線が前記第二リールを経由した後で前記第二引っ掛かりブロックと固定的に連結され、前記電池機構には通電ブロックが装着され、前記導線が前記通電ブロックと通電して電気を伝導でき、前記回転輪をひねって動かすことにより、第一リールが回転し、更に引き線が第二引っ掛かりブロックを引き動かして引っ掛かり溝から離脱させ、その後手でスライド蓋を引き出し、第一引っ掛かりブロックを引っ掛かり溝の中に引っ掛からせ、更に電池を取り替えることができることを特徴とする請求項１に記載の保温シャツ。
【請求項３】
前記外層の前側端面には七組のボタンが固定的に設置され、前記ボタンの左側の前記外層にはボタン穴が設置され、前記ボタンが前記ボタン穴と係合して留められることができ、前記外層の前側端面には二組の左右対称の袋が固定的に設置されることを特徴とする請求項１に記載の保温シャツ。
【発明の詳細な説明】
【技術分野】
【０００１】
本発明はシャツ技術分野を取り上げて、具体的には保温シャツである。
【背景技術】
【０００２】
現在市販されているほとんどのシャツは構成が単一であり、美観だけを持ち、寒い日にシャツを着る時、保温の要求を満たすことができなく、そのため、発熱保温できるシャツを設計することが必要である。
【先行技術文献】
【特許文献】
【０００３】
【特許文献１】中国特許出願公開第107637877号明細書
【発明の概要】
【発明が解決しようとする課題】
【０００４】
本発明は保温シャツを提供し、従来技術における上記欠点を解消することを目的とする。
【課題を解決するための手段】
【０００５】
本発明の保温シャツは、外層を含み、前記外層の外側面には左右対称の固定ボタンが固定的に設置され、前記外層の中には内層が固定的に設置され、前記内層と前記外層との間には隙間が設置され、前記隙間の後壁にはナイロンボタンが固定的に設置され、前記ナイロンボタンには発熱膜が貼り付くことができるように装着され、前記発熱膜が発熱でき、保温の作用を果たし、前記発熱膜を折り目に沿って折りたたむことができ、前記発熱膜を使用しない時に収納することができ、前記発熱膜の底端には導線が電気的に接続され、前記外層の前側端面にはプラスチックブロックが固定的に設置され、前記プラスチックブロックの中には前記発熱膜に電気エネルギーを提供できる電気機構が設置され、前記内層の左右両端にはいずれも袖が固定的に設置され、前記袖には弾性ひもが固定的に設置され、前記弾性ひもが袖口を引き締めることができ、放熱を防止し、前記弾性ひもの底部の前記袖には開口が設置され、前記袖を捲り上げることができ、また前記開口を通して前記袖を前記固定ボタンで留めることができる。
【０００６】
更の技術プランとして、前記電気機構は前記プラスチックブロックの中に設置される電池チャンバを含み、前記電池チャンバの中には電池が装着され、前記電池チャンバの前側にはスライド蓋がスライドできるように設置され、前記スライド蓋の上下両端にはいずれも引っ掛かり溝が設置され、前記電池チャンバの上下両側端壁の中にはいずれも第一スライド溝が設置され、前記第一スライド溝の中には前記引っ掛かり溝と相対して設置される第一引っ掛かりブロックがスライドできるように設置され、前記第一引っ掛かりブロックと前記第一スライド溝との間には第一ばねが装着され、前記第一スライド溝の右側の前記プラスチックブロックの中には第二スライド溝が設置され、前記第二スライド溝の中には第二引っ掛かりブロックがスライドできるように設置され、前記第二引っ掛かりブロックと前記電池との間には第二ばねが装着され、前記電池チャンバの右側端壁の中には小空きチャンバが設置され、前記小空きチャンバの中には二組のギヤが回転できるように設置され、二組の前記ギヤが噛み合って設置され、前記ギヤの前側端面には第一リールが固定的に設置され、頂部に位置する前記第一リールの前側が前記プラスチックブロックから張り出し、且つ頂部に位置する前記第一リールの前側の末端には回転輪が固定的に設置され、前記小空きチャンバの上下両側には矩形チャンバが対称的に設置され、前記矩形チャンバの中には二組の第二リールが回転できるように設置され、前記第一リールには引き線が固定的に設置され、前記引き線が前記第二リールを経由した後で前記第二引っ掛かりブロックと固定的に連結され、前記電池機構には通電ブロックが装着され、前記導線が前記通電ブロックと通電して電気を伝導でき、前記回転輪をひねって動かすことにより、第一リールが回転し、更に引き線が第二引っ掛かりブロックを引き動かして引っ掛かり溝から離脱させ、その後手でスライド蓋を引き出し、第一引っ掛かりブロックを引っ掛かり溝の中に引っ掛からせ、更に電池を取り替えることができる。
【０００７】
更の技術プランとして、前記外層の前側端面には七組のボタンが固定的に設置され、前記ボタンの左側の前記外層にはボタン穴が設置され、前記ボタンが前記ボタン穴と係合して留められることができ、前記外層の前側端面には二組の左右対称の袋が固定的に設置され、前記袋が外見を美化し、また雑物を置く機能を果たす。
【０００８】
使用する時、発熱膜をナイロンボタンに貼り付け、同時に導線を電池機構と通電させ、スライド蓋を右へ押し動かし、第二引っ掛かりブロックを引っ掛かり溝の中に引っ掛からせ、シャツを身に付け、家事や洗顔などをする時、袖を捲り上げ、また前記開口を通して前記袖を前記固定ボタンで留めることができ、シャツを洗浄する時、まず電池機構と導線とを分離させ、その後前記回転輪をひねって動かすことにより、第一リールが回転し、更に引き線が第二引っ掛かりブロックを引き動かして下へ移動させ、第二引っ掛かりブロックを引っ掛かり溝から離脱させ、その後手でスライド蓋を引き出し、第一引っ掛かりブロックを引っ掛かり溝の中に引っ掛からせ、更に電池を取り出すことができ、電池を取り出した後でスライド蓋を推して戻らせ、また発熱膜を取り外し、発熱膜を折り畳んで置いた後で本シャツを洗浄することができる。
【発明の効果】
【０００９】
本発明の有益効果は：本発明のシャツは寒い日に着用されることができ、電池機構が発熱膜に電気を提供し、これにより発熱膜が発熱でき、更に使用者の体を温め、そして弾性ひもの設計により冷たい空気が吹き込みにくく、また本シャツは手や顔などを洗う時に袖を捲り上げることができ、洗面や手洗いに便利であり、袖を濡らすことを防止する。
【図面の簡単な説明】
【００１０】
【図１】図１は本発明の保温シャツの外観模式図である；
【図２】図２は本発明の保温シャツの内部構成模式図である；
【図３】図３は本発明の中の発熱膜が貼り付く時の模式図である；
【図４】図４は本発明の保温シャツの外層の内部構成模式図である；
【図５】図５は本発明の中の電池機構の内部構成模式図である。
【発明を実施するための形態】
【００１１】
以下に図１〜５を交えて本発明について詳しく説明する。便利に叙述するために、現在は後文に出る方位を下記の通りに規定する：後文に出る上下左右前後方向は図１本体の投影関係の上下左右前後方向と一致する。
【００１２】
図１〜５を参照し、本発明の実施例の保温シャツは、外層１０を含み、前記外層１０の外側面には左右対称の固定ボタン１４が固定的に設置され、前記外層１０の中には内層１５が固定的に設置され、前記内層１５と前記外層１０との間には隙間５１が設置され、前記隙間５１の後壁にはナイロンボタン５０が固定的に設置され、前記ナイロンボタン５０には発熱膜１９が貼り付くことができるように装着され、前記発熱膜１９が発熱でき、保温の作用を果たし、前記発熱膜１９を折り目２０に沿って折りたたむことができ、前記発熱膜１９を使用しない時に収納することができ、前記発熱膜１９の底端には導線２１が電気的に接続され、前記外層１０の前側端面にはプラスチックブロック１７が固定的に設置され、前記プラスチックブロック１７の中には前記発熱膜１９に電気エネルギーを提供できる電気機構６０が設置され、前記内層１５の左右両端にはいずれも袖５３が固定的に設置され、前記袖５３には弾性ひも１６が固定的に設置され、前記弾性ひも１６が袖口を引き締めることができ、放熱を防止し、前記弾性ひも１６の底部の前記袖５３には開口１８が設置され、前記袖５３を捲り上げることができ、また前記開口１８を通して前記袖５３を前記固定ボタン１４で留めることができる。
【００１３】
前記電気機構６０は前記プラスチックブロック１７の中に設置される電池チャンバ２８を含み、前記電池チャンバ２８の中には電池２７が装着され、前記電池チャンバ２８の前側にはスライド蓋２２がスライドできるように設置され、前記スライド蓋２２の上下両端にはいずれも引っ掛かり溝２６が設置され、前記電池チャンバ２８の上下両側端壁の中にはいずれも第一スライド溝２３が設置され、前記第一スライド溝２３の中には前記引っ掛かり溝２６と相対して設置される第一引っ掛かりブロック２５がスライドできるように設置され、前記第一引っ掛かりブロック２５と前記第一スライド溝２３との間には第一ばね２４が装着され、前記第一スライド溝２３の右側の前記プラスチックブロック１７の中には第二スライド溝４０が設置され、前記第二スライド溝４０の中には第二引っ掛かりブロック３６がスライドできるように設置され、前記第二引っ掛かりブロック３６と前記電池２７との間には第二ばね３７が装着され、前記電池チャンバ２８の右側端壁の中には小空きチャンバ５５が設置され、前記小空きチャンバ５５の中には二組のギヤ２９が回転できるように設置され、二組の前記ギヤ２９が噛み合って設置され、前記ギヤ２９の前側端面には第一リール３１が固定的に設置され、頂部に位置する前記第一リール３１の前側が前記プラスチックブロック１７から張り出し、且つ頂部に位置する前記第一リール３１の前側の末端には回転輪５６が固定的に設置され、前記小空きチャンバ５５の上下両側には矩形チャンバ３４が対称的に設置され、前記矩形チャンバ３４の中には二組の第二リール３３が回転できるように設置され、前記第一リール３１には引き線３０が固定的に設置され、前記引き線３０が前記第二リール３３を経由した後で前記第二引っ掛かりブロック３６と固定的に連結され、前記電池機構６０には通電ブロック７０が装着され、前記導線２１が前記通電ブロック７０と通電して電気を伝導でき、前記回転輪５６をひねって動かすことにより、第一リール３１が回転し、更に引き線３０が第二引っ掛かりブロック３６を引き動かして引っ掛かり溝２６から離脱させ、その後手でスライド蓋２２を引き出し、第一引っ掛かりブロック２５を引っ掛かり溝２６の中に引っ掛からせ、更に電池２７を取り替えることができる。
【００１４】
前記外層１０の前側端面には七組のボタン１１が固定的に設置され、前記ボタン１１の左側の前記外層１０にはボタン穴１２が設置され、前記ボタン１１が前記ボタン穴１２と係合して留められることができ、前記外層１０の前側端面には二組の左右対称の袋１３が固定的に設置され、前記袋１３が外見を美化し、また雑物を置く機能を果たす。
【００１５】
使用する時、発熱膜１９をナイロンボタン５０に貼り付け、同時に導線２１を電池機構６０と通電させ、スライド蓋２２を右へ押し動かし、第二引っ掛かりブロック３６を引っ掛かり溝２６の中に引っ掛からせ、シャツを身に付け、家事や洗顔などをする時、袖５３を捲り上げ、また前記開口１８を通して前記袖５３を前記固定ボタン１４で留めることができ、シャツを洗浄する時、まず電池機構６０と導線２１とを分離させ、その後前記回転輪５６をひねって動かすことにより、第一リール３１が回転し、更に引き線３０が第二引っ掛かりブロック３６を引き動かして下へ移動させ、第二引っ掛かりブロック３６を引っ掛かり溝２６から離脱させ、その後手でスライド蓋２２を引き出し、第一引っ掛かりブロック２５を引っ掛かり溝２６の中に引っ掛からせ、更に電池２７を取り出すことができ、電池２７を取り出した後でスライド蓋２２を推して戻らせ、また発熱膜１９を取り外し、発熱膜１９を折り畳んで置いた後で本シャツを洗浄することができる。
【００１６】
本発明の有益効果は：本発明のシャツは寒い日に着用されることができ、電池機構が発熱膜に電気を提供し、これにより発熱膜が発熱でき、更に使用者の体を温め、そして弾性ひもの設計により冷たい空気が吹き込みにくく、また本シャツは手や顔などを洗う時に袖を捲り上げることができ、洗面や手洗いに便利であり、袖を濡らすことを防止する。
【００１７】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020153047.tif 000003
【図２】
2020153047.tif 000004
【図３】
2020153047.tif 000005
【図４】
2020153047.tif 000006
【図５】
2020153047.tif 000007
【手続補正書】
【提出日】令和1年8月9日(2019.8.9)
【手続補正１】
【補正対象書類名】特許請求の範囲
【補正対象項目名】全文
【補正方法】変更
【補正の内容】
【特許請求の範囲】
【請求項１】
外層を含み、前記外層の外側面には固定ボタンが左右対称に固定的に設置され、前記外層の中には内層が固定的に設置され、前記内層と前記外層との間には隙間が設置され、前記隙間の後壁にはナイロンボタンが固定的に設置され、前記ナイロンボタンには発熱膜が貼り付くことができるように装着され、前記発熱膜が発熱でき、保温の作用を果たし、前記発熱膜を折り目に沿って折りたたむことができ、前記発熱膜を使用しない時に収納することができ、前記発熱膜の底端には導線が電気的に接続され、前記外層の前側端面にはプラスチックブロックが固定的に設置され、前記プラスチックブロックの中には前記発熱膜に電気エネルギーを提供できる電池機構が設置され、前記内層の左右両端にはいずれも袖が固定的に設置され、前記袖には弾性ひもが固定的に設置され、前記弾性ひもが袖口を引き締めることができ、放熱を防止し、前記弾性ひもの底部の前記袖には開口が設置され、前記袖を捲り上げることができ、また前記開口を通して前記袖を前記固定ボタンで留めることができることを特徴とする保温シャツ。
【請求項２】
前記電池機構は前記プラスチックブロックの中に設置される電池チャンバを含み、前記電池チャンバの中には電池が装着され、前記電池チャンバの前側にはスライド蓋がスライドできるように設置され、前記スライド蓋の上下両端にはいずれも引っ掛かり溝が設置され、前記電池チャンバの上下両側端壁の中にはいずれも第一スライド溝が設置され、前記第一スライド溝の中には前記引っ掛かり溝と相対して設置される第一引っ掛かりブロックがスライドできるように設置され、前記第一引っ掛かりブロックと前記第一スライド溝との間には第一ばねが装着され、前記第一スライド溝の右側の前記プラスチックブロックの中には第二スライド溝が設置され、前記第二スライド溝の中には第二引っ掛かりブロックがスライドできるように設置され、前記第二引っ掛かりブロックと前記電池との間には第二ばねが装着され、前記電池チャンバの右側端壁の中には小空きチャンバが設置され、前記小空きチャンバの中には二組のギヤが回転できるように設置され、二組の前記ギヤが噛み合って設置され、前記ギヤの前側端面には第一リールが固定的に設置され、頂部に位置する前記第一リールの前側が前記プラスチックブロックから張り出し、且つ頂部に位置する前記第一リールの前側の末端には回転輪が固定的に設置され、前記小空きチャンバの上下両側には矩形チャンバが対称的に設置され、前記矩形チャンバの中には二組の第二リールが回転できるように設置され、前記第一リールには引き線が固定的に設置され、前記引き線が前記第二リールを経由した後で前記第二引っ掛かりブロックと固定的に連結され、前記電池機構には通電ブロックが装着され、前記導線が前記通電ブロックと通電して電気を伝導でき、前記回転輪をひねって動かすことにより、第一リールが回転し、更に引き線が第二引っ掛かりブロックを引き動かして引っ掛かり溝から離脱させ、そして手でスライド蓋を引き出し、第一引っ掛かりブロックを引っ掛かり溝の中に引っ掛からせ、更に電池を取り替えることができることを特徴とする請求項１に記載の保温シャツ。
【請求項３】
前記外層の前側端面には七つのボタンが固定的に設置され、前記ボタンの左側の前記外層にはボタン穴が設置され、前記ボタンが前記ボタン穴と係合して留められることができ、前記外層の前側端面には袋が左右対称に固定的に設置されることを特徴とする請求項１に記載の保温シャツ。
【手続補正２】
【補正対象書類名】明細書
【補正対象項目名】全文
【補正方法】変更
【補正の内容】
【発明の詳細な説明】
【技術分野】
【０００１】
本発明はシャツ技術分野を取り上げて、具体的には保温シャツである。
【背景技術】
【０００２】
現在市販されているほとんどのシャツは構成が単一であり、美観だけを持ち、寒い日にシャツを着る時、保温の要求を満たすことができなく、そのため、発熱保温できるシャツを設計することが必要である。
【先行技術文献】
【特許文献】
【０００３】
【特許文献１】中国特許出願公開第１０７６３７８７７号明細書
【発明の概要】
【発明が解決しようとする課題】
【０００４】
本発明は保温シャツを提供し、従来技術における上記欠点を解消することを目的とする。
【課題を解決するための手段】
【０００５】
本発明の保温シャツは、外層を含み、前記外層の外側面には固定ボタンが左右対称に固定的に設置され、前記外層の中には内層が固定的に設置され、前記内層と前記外層との間には隙間が設置され、前記隙間の後壁にはナイロンボタンが固定的に設置され、前記ナイロンボタンには発熱膜が貼り付くことができるように装着され、前記発熱膜が発熱でき、保温の作用を果たし、前記発熱膜を折り目に沿って折りたたむことができ、前記発熱膜を使用しない時に収納することができ、前記発熱膜の底端には導線が電気的に接続され、前記外層の前側端面にはプラスチックブロックが固定的に設置され、前記プラスチックブロックの中には前記発熱膜に電気エネルギーを提供できる電池機構が設置され、前記内層の左右両端にはいずれも袖が固定的に設置され、前記袖には弾性ひもが固定的に設置され、前記弾性ひもが袖口を引き締めることができ、放熱を防止し、前記弾性ひもの底部の前記袖には開口が設置され、前記袖を捲り上げることができ、また前記開口を通して前記袖を前記固定ボタンで留めることができる。
【０００６】
更の技術プランとして、前記電池機構は前記プラスチックブロックの中に設置される電池チャンバを含み、前記電池チャンバの中には電池が装着され、前記電池チャンバの前側にはスライド蓋がスライドできるように設置され、前記スライド蓋の上下両端にはいずれも引っ掛かり溝が設置され、前記電池チャンバの上下両側端壁の中にはいずれも第一スライド溝が設置され、前記第一スライド溝の中には前記引っ掛かり溝と相対して設置される第一引っ掛かりブロックがスライドできるように設置され、前記第一引っ掛かりブロックと前記第一スライド溝との間には第一ばねが装着され、前記第一スライド溝の右側の前記プラスチックブロックの中には第二スライド溝が設置され、前記第二スライド溝の中には第二引っ掛かりブロックがスライドできるように設置され、前記第二引っ掛かりブロックと前記電池との間には第二ばねが装着され、前記電池チャンバの右側端壁の中には小空きチャンバが設置され、前記小空きチャンバの中には二組のギヤが回転できるように設置され、二組の前記ギヤが噛み合って設置され、前記ギヤの前側端面には第一リールが固定的に設置され、頂部に位置する前記第一リールの前側が前記プラスチックブロックから張り出し、且つ頂部に位置する前記第一リールの前側の末端には回転輪が固定的に設置され、前記小空きチャンバの上下両側には矩形チャンバが対称的に設置され、前記矩形チャンバの中には二組の第二リールが回転できるように設置され、前記第一リールには引き線が固定的に設置され、前記引き線が前記第二リールを経由した後で前記第二引っ掛かりブロックと固定的に連結され、前記電池機構には通電ブロックが装着され、前記導線が前記通電ブロックと通電して電気を伝導でき、前記回転輪をひねって動かすことにより、第一リールが回転し、更に引き線が第二引っ掛かりブロックを引き動かして引っ掛かり溝から離脱させ、そして手でスライド蓋を引き出し、第一引っ掛かりブロックを引っ掛かり溝の中に引っ掛からせ、更に電池を取り替えることができる。
【０００７】
更の技術プランとして、前記外層の前側端面には七つのボタンが固定的に設置され、前記ボタンの左側の前記外層にはボタン穴が設置され、前記ボタンが前記ボタン穴と係合して留められることができ、前記外層の前側端面には袋が左右対称に固定的に設置され、前記袋が外見を美化し、また雑物を置く機能を果たす。
【０００８】
使用する時、発熱膜をナイロンボタンに貼り付け、同時に導線を電池機構と通電させ、スライド蓋を右へ押し動かし、第二引っ掛かりブロックを引っ掛かり溝の中に引っ掛からせ、シャツを身に付け、家事や洗顔などをする時、袖を捲り上げ、また前記開口を通して前記袖を前記固定ボタンで留めることができ、シャツを洗浄する時、まず電池機構と導線とを分離させ、そして前記回転輪をひねって動かすことにより、第一リールが回転し、更に引き線が第二引っ掛かりブロックを引き動かして下へ移動させ、第二引っ掛かりブロックを引っ掛かり溝から離脱させ、そして手でスライド蓋を引き出し、第一引っ掛かりブロックを引っ掛かり溝の中に引っ掛からせ、更に電池を取り出すことができ、電池を取り出した後でスライド蓋を推して戻らせ、また発熱膜を取り外し、発熱膜を折り畳んで置いた後で本シャツを洗浄することができる。
【発明の効果】
【０００９】
本発明の有益効果は：本発明のシャツは寒い日に着用されることができ、電池機構が発熱膜に電気を提供し、これにより発熱膜が発熱でき、更に使用者の体を温め、そして弾性ひもの設計により冷たい空気が吹き込みにくく、また本シャツは手や顔などを洗う時に袖を捲り上げることができ、洗面や手洗いに便利であり、袖を濡らすことを防止する。
【図面の簡単な説明】
【００１０】
【図１】図１は本発明の保温シャツの外観模式図である；
【図２】図２は本発明の保温シャツの内部構成模式図である；
【図３】図３は本発明の中の発熱膜が貼り付く時の模式図である；
【図４】図４は本発明の保温シャツの外層の内部構成模式図である；
【図５】図５は本発明の中の電池機構の内部構成模式図である。
【発明を実施するための形態】
【００１１】
以下に図１〜５を交えて本発明について詳しく説明する。便利に叙述するために、現在は後文に出る方位を下記の通りに規定する：後文に出る上下左右前後方向は図１本体の投影関係の上下左右前後方向と一致する。
【００１２】
図１〜５を参照し、本発明の実施例の保温シャツは、外層１０を含み、前記外層１０の外側面には固定ボタン１４が左右対称に固定的に設置され、前記外層１０の中には内層１５が固定的に設置され、前記内層１５と前記外層１０との間には隙間５１が設置され、前記隙間５１の後壁にはナイロンボタン５０が固定的に設置され、前記ナイロンボタン５０には発熱膜１９が貼り付くことができるように装着され、前記発熱膜１９が発熱でき、保温の作用を果たし、前記発熱膜１９を折り目２０に沿って折りたたむことができ、前記発熱膜１９を使用しない時に収納することができ、前記発熱膜１９の底端には導線２１が電気的に接続され、前記外層１０の前側端面にはプラスチックブロック１７が固定的に設置され、前記プラスチックブロック１７の中には前記発熱膜１９に電気エネルギーを提供できる電池機構６０が設置され、前記内層１５の左右両端にはいずれも袖５３が固定的に設置され、前記袖５３には弾性ひも１６が固定的に設置され、前記弾性ひも１６が袖口を引き締めることができ、放熱を防止し、前記弾性ひも１６の底部の前記袖５３には開口１８が設置され、前記袖５３を捲り上げることができ、また前記開口１８を通して前記袖５３を前記固定ボタン１４で留めることができる。
【００１３】
前記電池機構６０は前記プラスチックブロック１７の中に設置される電池チャンバ２８を含み、前記電池チャンバ２８の中には電池２７が装着され、前記電池チャンバ２８の前側にはスライド蓋２２がスライドできるように設置され、前記スライド蓋２２の上下両端にはいずれも引っ掛かり溝２６が設置され、前記電池チャンバ２８の上下両側端壁の中にはいずれも第一スライド溝２３が設置され、前記第一スライド溝２３の中には前記引っ掛かり溝２６と相対して設置される第一引っ掛かりブロック２５がスライドできるように設置され、前記第一引っ掛かりブロック２５と前記第一スライド溝２３との間には第一ばね２４が装着され、前記第一スライド溝２３の右側の前記プラスチックブロック１７の中には第二スライド溝４０が設置され、前記第二スライド溝４０の中には第二引っ掛かりブロック３６がスライドできるように設置され、前記第二引っ掛かりブロック３６と前記電池２７との間には第二ばね３７が装着され、前記電池チャンバ２８の右側端壁の中には小空きチャンバ５５が設置され、前記小空きチャンバ５５の中には二組のギヤ２９が回転できるように設置され、二組の前記ギヤ２９が噛み合って設置され、前記ギヤ２９の前側端面には第一リール３１が固定的に設置され、頂部に位置する前記第一リール３１の前側が前記プラスチックブロック１７から張り出し、且つ頂部に位置する前記第一リール３１の前側の末端には回転輪５６が固定的に設置され、前記小空きチャンバ５５の上下両側には矩形チャンバ３４が対称的に設置され、前記矩形チャンバ３４の中には二組の第二リール３３が回転できるように設置され、前記第一リール３１には引き線３０が固定的に設置され、前記引き線３０が前記第二リール３３を経由した後で前記第二引っ掛かりブロック３６と固定的に連結され、前記電池機構６０には通電ブロック７０が装着され、前記導線２１が前記通電ブロック７０と通電して電気を伝導でき、前記回転輪５６をひねって動かすことにより、第一リール３１が回転し、更に引き線３０が第二引っ掛かりブロック３６を引き動かして引っ掛かり溝２６から離脱させ、そして手でスライド蓋２２を引き出し、第一引っ掛かりブロック２５を引っ掛かり溝２６の中に引っ掛からせ、更に電池２７を取り替えることができる。
【００１４】
前記外層１０の前側端面には七つのボタン１１が固定的に設置され、前記ボタン１１の左側の前記外層１０にはボタン穴１２が設置され、前記ボタン１１が前記ボタン穴１２と係合して留められることができ、前記外層１０の前側端面には袋１３が左右対称に固定的に設置され、前記袋１３が外見を美化し、また雑物を置く機能を果たす。
【００１５】
使用する時、発熱膜１９をナイロンボタン５０に貼り付け、同時に導線２１を電池機構６０と通電させ、スライド蓋２２を右へ押し動かし、第二引っ掛かりブロック３６を引っ掛かり溝２６の中に引っ掛からせ、シャツを身に付け、家事や洗顔などをする時、袖５３を捲り上げ、また前記開口１８を通して前記袖５３を前記固定ボタン１４で留めることができ、シャツを洗浄する時、まず電池機構６０と導線２１とを分離させ、そして前記回転輪５６をひねって動かすことにより、第一リール３１が回転し、更に引き線３０が第二引っ掛かりブロック３６を引き動かして下へ移動させ、第二引っ掛かりブロック３６を引っ掛かり溝２６から離脱させ、そして手でスライド蓋２２を引き出し、第一引っ掛かりブロック２５を引っ掛かり溝２６の中に引っ掛からせ、更に電池２７を取り出すことができ、電池２７を取り出した後でスライド蓋２２を推して戻らせ、また発熱膜１９を取り外し、発熱膜１９を折り畳んで置いた後で本シャツを洗浄することができる。
【００１６】
本発明の有益効果は：本発明のシャツは寒い日に着用されることができ、電池機構が発熱膜に電気を提供し、これにより発熱膜が発熱でき、更に使用者の体を温め、そして弾性ひもの設計により冷たい空気が吹き込みにくく、また本シャツは手や顔などを洗う時に袖を捲り上げることができ、洗面や手洗いに便利であり、袖を濡らすことを防止する。
【００１７】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。